(57)【要約】【課題】空気調和機用室外ユニットにおいて、熱交換器での熱交換効率を向上させる。【解決手段】筐体１Ａと、熱交換器２と、筐体１Ａの上部に設けられた吹出口３と、筐体１Ａの上部に設けられた送風機４と、上端部及び下端部がそれぞれ吹出口３及び筐体１Ａの内部空間に連通するように開口し筐体１Ａの上部から筐体１Ａの下部に向けて鉛直方向に延びているダクト５と、を備えている。筐体１Ａの内部空間は、送風機４によって吸引された空気がダクト５の内側を通過して吹出口３に流れる第１流路１１と、吸引された空気がダクト５の外側を通過して吹出口３に流れる第２流路１２とを有している。【選択図】図２Ａ
2014095505.tif 000002
【特許請求の範囲】
【請求項１】
空気の流入を許容するように開口した側面部を有する筐体と、
前記側面部に沿って前記筐体の中に配置された熱交換器と、
前記熱交換器を通じて前記筐体の内部空間に導かれた空気を前記筐体の上方に向かって吹き出すように前記筐体の上部に設けられた吹出口と、
前記筐体の上部に設けられ、前記筐体の前記内部空間から空気を吸引する送風機と、
上端部及び下端部がそれぞれ前記吹出口及び前記筐体の前記内部空間に連通するように開口し、前記筐体の上部から前記筐体の下部に向けて鉛直方向に延びているダクトと、
を備え、
前記筐体の前記内部空間は、前記送風機によって吸引された空気が前記ダクトの内側を通過して前記吹出口に流れる第１流路と、前記吸引された空気が前記ダクトの外側を通過して前記吹出口に流れる第２流路とを有している、空気調和機用室外ユニット。
【請求項２】
前記筐体の高さ方向において、前記ダクトの前記上端部は、前記熱交換器の上端部と一致している、又は前記熱交換器の上端部より上方に位置している、請求項１に記載の空気調和機用室外ユニット。
【請求項３】
前記筐体の前記側面部の一部は、空気の通過を禁止する壁部分によって形成されており、
前記壁部分が前記ダクトの一部を構成している、請求項１又は２に記載の空気調和機用室外ユニット。
【請求項４】
前記筐体の高さ方向における前記熱交換器の中間の位置を通る平面を中間平面と定義したとき、
前記筐体の高さ方向において、前記ダクトの前記下端部は、前記熱交換器の上端部と前記中間平面との間に位置している、請求項１〜３のいずれか１項に記載の空気調和機用室外ユニット。
【請求項５】
前記ダクトの前記下端部における流路断面積は、前記ダクトの前記上端部における流路断面積よりも大きい、請求項１〜４のいずれか１項に記載の空気調和機用室外ユニット。
【請求項６】
前記ダクトの流路断面積は、前記上端部から前記下端部に向けて増加している、請求項５に記載の空気調和機用室外ユニット。
【発明の詳細な説明】
【技術分野】
【０００１】
本発明は、空気を筐体の側面部から吸い込み、筐体の上方に向かって吹き出す空気調和機用室外ユニットに関するものである。
【背景技術】
【０００２】
従来の空気調和機用室外ユニットとしては、空気を筐体の側面部から吸い込み、筐体の上方に向かって吹き出すものが知られている。特許文献１に開示された室外ユニット４０１は、図９に示すように、筐体４０１Ａ、熱交換器４０２、ベルマウス４０３Ａ、送風機４０４及びモータ４０４を備えている。熱交換器４０２は、筐体４０１Ａの側面部に配置されている。筐体４０１Ａの上部には、空気を上方に吹き出すための吹出口４０３を有するベルマウス４０３Ａが設けられている。送風機４０４は、筐体４０１Ａの内部空間の空気を吸引するように筐体４０１Ａの上部に設けられている。送風機４０４の下部にモータ４０４Ａが設けられている。モータ４０４Ａによって送風機４０４が駆動される。
【０００３】
送風機４０４を動作させると、筐体４０１Ａの側面部から流入した空気が熱交換器４０２を通過し、筐体４０１Ａの内部空間へ流入する。そして、送風機４０４によって筐体４０１Ａの内部空間から空気が吸引され、吹出口４０３を通って上方へと吹き出される。
【先行技術文献】
【特許文献】
【０００４】
【特許文献１】実開昭５９−８４３７３号公報
【発明の概要】
【発明が解決しようとする課題】
【０００５】
従来の室外ユニット４０１において、熱交換器４０２を通過する空気の流量分布は特に考慮されていない。そのため、熱交換器４０２での熱交換効率に更なる向上の余地が残されている。
【０００６】
本発明は、空気調和機用室外ユニットにおいて、熱交換器での熱交換効率を向上させることを目的とする。
【課題を解決するための手段】
【０００７】
すなわち、本開示は、
空気の流入を許容するように開口した側面部を有する筐体と、
前記側面部に沿って前記筐体の中に配置された熱交換器と、
前記熱交換器を通じて前記筐体の内部空間に導かれた空気を前記筐体の上方に向かって吹き出すように前記筐体の上部に設けられた吹出口と、
前記筐体の上部に設けられ、前記筐体の前記内部空間から空気を吸引する送風機と、
上端部及び下端部がそれぞれ前記吹出口及び前記筐体の前記内部空間に連通するように開口し、前記筐体の上部から前記筐体の下部に向けて鉛直方向に延びているダクトと、
を備え、
前記筐体の前記内部空間は、前記送風機によって吸引された空気が前記ダクトの内側を通過して前記吹出口に流れる第１流路と、前記吸引された空気が前記ダクトの外側を通過して前記吹出口に流れる第２流路とを有している、空気調和機用室外ユニットを提供する。
【発明の効果】
【０００８】
上記の空気調和機用室外ユニットによれば、熱交換器の上部側では、熱交換器の上部側を通過する空気が第２流路を通過することによって、熱交換器の上部側を通過する空気のための流路断面積が減少する。言い換えると、圧力損失が高まるので、熱交換器の上部側を通過する空気の流量が減少する。一方、熱交換器の下部側では、熱交換器の下部側を通過する空気が第１流路を通過する。そのため、送風機の直下に形成された低圧力場によってダクトの下部の空気の吸い込み量が増加し、熱交換器の下部側を通過する空気の流量が増加する。従って、熱交換器の上部側を通過する空気の流量と、熱交換器の下部側を通過する空気の流量とがバランスし、熱交換器を通過する空気の流量分布を最適化でき、熱交換器での熱交換効率を向上させることができる。
【図面の簡単な説明】
【０００９】
【図１Ａ】本発明の第１実施形態に係る空気調和機用室外ユニットを示す、筐体の上面部及びベルマウスの一部を省略した平面図
【図１Ｂ】図１Ａに示す空気調和機用室外ユニットを示す、筐体の側面部及び熱交換器の側面部を省略した正面図
【図１Ｃ】図１Ａに示す空気調和機用室外ユニットを示す、筐体の側面部及び熱交換器の側面部を省略した側面図
【図２Ａ】図１Ａに示す空気調和機用室外ユニットの内部における空気の流れを示す図
【図２Ｂ】図１Ａに示す空気調和機用室外ユニットの内部の空気の圧力分布を示す図
【図３Ａ】従来の空気調和機用室外ユニットの内部における空気の流れを示す図
【図３Ｂ】従来の空気調和機用室外ユニットの内部の空気の圧力分布を示す図
【図４Ａ】本発明の第２実施形態に係る空気調和機用室外ユニットを示す、筐体の上面部及びベルマウスの一部を省略した平面図
【図４Ｂ】図４Ａに示す空気調和機用室外ユニットを示す、筐体の側面部及び熱交換器の側面部を省略した正面図
【図４Ｃ】図４Ａに示す空気調和機用室外ユニットを示す、筐体の側面部及び熱交換器の側面部を省略した側面図
【図５Ａ】図４Ａに示す空気調和機用室外ユニットの内部における空気の流れを示す図
【図５Ｂ】図１Ａに示す空気調和機用室外ユニットの内部内部における空気の流れを示す図
【図６Ａ】本発明の第３実施形態に係る空気調和機用室外ユニットを示す、筐体の側面部及び熱交換器の側面部を省略した平面図
【図６Ｂ】図６Ａに示す空気調和機用室外ユニットを示す、筐体の側面部及び熱交換器の側面部を省略した
【図６Ｃ】図６Ａに示す空気調和機用室外ユニットを示す、筐体の側面部及び熱交換器の側面部を省略した側面図
【図７Ａ】本発明の第４実施形態に係る空気調和機用室外ユニットを示す、筐体の上面部及びベルマウスの一部を省略した平面図
【図７Ｂ】図７Ａに示す空気調和機用室外ユニットを示す、筐体の上面部及びベルマウスの一部を省略した正面図
【図７Ｃ】図７Ａに示す空気調和機用室外ユニットを示す、筐体の側面部及び熱交換器の側面部を省略した側面図
【図８】図１Ａに示す空気調和機用室外ユニットが用いられるビル用マルチ空気調和システムの構成図
【図９】従来の空気調和機用室外ユニットの正面断面図
【発明を実施するための形態】
【００１０】
従来の室外ユニット４０１では、送風機４０４の動作によって送風機４０４の直下に低圧力場が形成される。送風機４０４に近接した位置において、空気は、熱交換器４０２の上部側を通過し、直接送風機４０４の直下へと流入する。従って、熱交換器４０２の上部側を通過する空気の流量は相対的に多い。一方、送風機４０４から遠く離れた位置において、空気は、熱交換器４０２の下部側を通過する。熱交換器４０２の下部側は、送風機４０４の直下に形成された低圧力場から遠く離れているので、熱交換器４０２の下部側を通過する空気の流量は相対的に少ない。このため、熱交換器４０２の上部側を通過する空気の流量と、熱交換器４０２の下部側を通過する空気の流量とがバランスせず、熱交換器４０２を通過する空気の流量分布が不均一になる。すなわち、熱交換器４０２の上部側では、通過する空気の流量の増加により伝熱性能が過大となり、熱交換器４０２の下部側では、通過する空気の流量の減少により伝熱性能が過小となることで、熱交換器４０２の性能が低下する問題がある。
【００１１】
本開示の第１の態様は、
空気の流入を許容するように開口した側面部を有する筐体と、
前記側面部に沿って前記筐体の中に配置された熱交換器と、
前記熱交換器を通じて前記筐体の内部空間に導かれた空気を前記筐体の上方に向かって吹き出すように前記筐体の上部に設けられた吹出口と、
前記筐体の上部に設けられ、前記筐体の前記内部空間から空気を吸引する送風機と、
上端部及び下端部がそれぞれ前記吹出口及び前記筐体の前記内部空間に連通するように開口し、前記筐体の上部から前記筐体の下部に向けて鉛直方向に延びているダクトと、
を備え、
前記筐体の前記内部空間は、前記送風機によって吸引された空気が前記ダクトの内側を通過して前記吹出口に流れる第１流路と、前記吸引された空気が前記ダクトの外側を通過して前記吹出口に流れる第２流路とを有している、空気調和機用室外ユニットを提供する。
【００１２】
第２の態様は、第１の態様に加え、前記筐体の高さ方向において、前記ダクトの上端部は、前記熱交換器の上端部と一致している、又は前記熱交換器の上端部より上方に位置している、空気調和機用室外ユニットを提供する。このような構成によれば、熱交換器の上部側を通過した空気は第２流路を通過しうる。これにより、熱交換器の上部側を通過する空気の流量を減少させることができる。
【００１３】
第３の態様は、第１又は第２の態様に加え、前記筐体の前記側面部の一部は、空気の通過を禁止する壁部分によって形成されており、前記壁部分が前記ダクトの一部を構成している、空気調和機用室外ユニットを提供する。このような構成によれば、壁部分と対向する位置にダクトの側面部を設ける場合に比べて、ダクトの断面積を大きくできる。ダクトの内側に作用する流動抵抗が減少し、第１流路の流路断面積が増加するので、熱交換器の下部側を通過する空気の流量を効率的に増加させることができる。
【００１４】
第４の態様は、第１〜第３の態様のいずれか１つに加え、前記筐体の高さ方向における前記熱交換器の中間の位置を通る平面を中間平面と定義したとき、前記筐体の高さ方向において、前記ダクトの下端部は、前記熱交換器の上端部と前記中間平面との間に位置している、空気調和機用室外ユニットを提供する。このような構成によれば、空気の流量が平均流量より少ない熱交換器の鉛直方向の長さの１／２の位置より下側の部分において空気の流量を増加させることができ、空気の流量が平均流量より多い熱交換器の鉛直方向の長さの１／２の位置より上側の部分において空気の流量を減少させることができるので、熱交換器を通過する空気の流量分布を最適化できる。
【００１５】
第５の態様は、第１〜第４の態様のいずれか１つ加え、前記ダクトの前記下端部における流路断面積は、前記ダクトの前記上端部における流路断面積よりも大きい、空気調和機用室外ユニットを提供する。このような構成によれば、ダクトの下端部における第１流路の流路断面積が増加するので、熱交換器の下部側を通過する空気の流量を効率的に増加させることができる。さらに、吹出口やベルマウスの直径が小さい場合でも、ダクトの上端部を小さく形成することによって、ダクトの下端部を熱交換器の下部側に配置できる。
【００１６】
第６の態様は、第５の態様に加え、前記ダクトの流路断面積（第１流路の断面積）は、前記上端部から前記下端部に向けて増加している、空気調和機用室外ユニットを提供する。このような構成によれば、第２流路において、下方向に向けて流路断面積が増加するダクトによって空気の下方向の流れが規制される。従って、第２流路から第１流路に空気が流入する流量を減少させることができ、ダクトを設置することによる流動損失を低減できる。
【００１７】
以下、本発明の実施形態について、図面を参照しながら説明する。ただし、本発明は、以下の実施形態によって限定されるものではない。
【００１８】
（第１実施形態）
図１Ａ〜図１Ｃは、本発明の第１実施形態における空気調和機用室外ユニットの内部構成について示した図である。
【００１９】
図１Ａ〜図１Ｃに示すように、室外ユニット１は、筐体１Ａ、熱交換器２、ベルマウス３Ａ、送風機４、モータ４Ａ、ダクト５、制御ボックス７、圧縮機８、アキュムレータ９及びオイルセパレータ１０を備えている。熱交換器２は、筐体１Ａの中に配置されている。ベルマウス３Ａは、筐体１Ａの上部に設けられ、上端部において開口する吹出口３を有している。送風機４は、ベルマウス３Ａの内部に配置され、吹出口３の下方に位置している。モータ４Ａは、ベルマウス３Ａの内部に配置され、送風機４の下部に位置している。モータ４Ａは、送風機４を駆動する。ダクト５は、筐体１Ａの上部から筐体１Ａの下部に向けて鉛直方向に延びている。筐体１Ａの内部空間は、第１流路１１と、第２流路１２と、を有している。第１流路１１は、送風機４によって吸引された空気がダクト５の内側を通過して吹出口３に流れる流路である。第２流路１２は、吸引された空気がダクト５の外側を通過して吹出口３に流れる流路である。
【００２０】
筐体１Ａは、鉛直方向に長い直方体のケースである。具体的には、筐体１Ａは、第１側面部１Ｂ、第２側面部１Ｃ、第３側面部１Ｄ及び第４側面部１Ｅを有する。第１側面部１Ｂ、第２側面部１Ｃ及び第３側面部１Ｄは、それぞれ、空気の流入を許容するように開口している。第４側面部１Ｅは、空気の通過を禁止するように構成されている。筐体１Ａの内部には、第１側面部１Ｂ、第２側面部１Ｃ及び第３側面部１Ｄの内側に沿うように、平面視でＵ字形状の熱交換器２が配置されている。第４側面部１Ｅの内部には、制御ボックス７が装着及び固定されている。
【００２１】
制御ボックス７は、送風機４等の電気部品を制御する制御回路（図示せず）を内蔵する直方体のケースであって、第４側面部１Ｅの内側面にねじによって固定されている。制御ボックス７の内側側面７Ａは、長方形の平坦面を有しており、ダクト５の一部を構成している。制御ボックス７の内側側面７Ａと対向する位置にダクト５の側面部を設ける場合に比べて、ダクト５の断面積を大きくできるので、第１流路１１を通過する空気のための流路断面積が増加し、熱交換器２の下部側を通過する空気の流量をさらに増加させることができる。
【００２２】
なお、熱交換器２の配置は、上記の配置に限定されない。例えば、第４側面部１Ｅの一部が空気の流入を許容するように構成されているとき、第４側面部１Ｅの一部の内側に沿うように、熱交換器２が配置されていてもよい。熱交換器２が鉛直方向に対して平行に配置されていることも必須ではない。熱交換器２が鉛直方向及び水平方向の両方に対して傾斜していてもよい。例えば、熱交換器２がＶ字の形状をなすように筐体１Ａの内部に熱交換器２が配置されていてもよい。
【００２３】
筐体１Ａの上端部は、空気の吹き出しを許容するように開口しており、ベルマウス３Ａの吹出口３と連通している。ベルマウス３Ａの下端部は、熱交換器２の上端部より上方に設けられ、ラッパ状に開口する円筒部材である。ベルマウス３Ａの下端部の開口の直径は、ベルマウス３Ａの吹出口３（上端部の開口）の直径より大きい。ベルマウス３Ａの内部には、送風機４が配置されている。
【００２４】
送風機４は、送風機４の下部に配置されたモータ４Ａによって回転し、筐体１Ａの内部空間から空気を吸引する。送風機４は、複数（例えば４枚）の羽根を有している。送風機４の中心軸は、吹出口３の中心（ベルマウス３Ａの中心）と一致している。送風機４の最大外径は、ベルマウス３Ａの最小内径である吹出口３の直径より小さい。送風機４及びモータ４Ａの鉛直方向の長さは、ベルマウス３Ａのより鉛直方向の長さより小さい。すなわち、送風機４及びモータ４Ａは、ベルマウス３Ａの内部に配置されている。
【００２５】
モータ４Ａの下端部は、第１支持部材６Ａ及び第２支持部材６Ｂにねじにより固定されている。第１支持部材６Ａ及び第２支持部材６Ｂは、それぞれ、熱交換器２の上端部の位置において、第２側面部１Ｃの上部と第４側面部１Ｅの上部とを連結している。第１支持部材６Ａ及び第２支持部材６Ｂは、第１側面部１Ｂ及び第３側面部１Ｄと平行に配置された平板かつ棒状の部材である。第１支持部材６Ａ及び第２支持部材６Ｂは、モータ４Ａの中心軸からそれぞれ第１側面部１Ｂ及び第３側面部１Ｄ側に離れている。モータ４Ａの中心軸と第１支持部材６Ａとの間の距離は、モータ４Ａの中心軸と第２支持部材６Ｂとの間の距離と同一である。第１支持部材６Ａ及び第２支持部材６Ｂは、第２側面部１Ｃにおける熱交換器２の上部及び制御ボックス７の上部を横切っている。なお、モータ４Ａは、送風機４の下端部に装着された円筒状のケース部材に内蔵されている。このケース部材もモータ４Ａの一部を構成している。従って、モータ４Ａの下端部は、円筒状のケース部材の下端部を意味している。
【００２６】
熱交換器２は、第１側面部１Ｂ、第２側面部１Ｃ及び第３側面部１Ｄのそれぞれに対応する内側部分として、第１熱交換部２Ａ、第２熱交換部２Ｂ及び第３熱交換部２Ｃを有している。また、送風機４の中心軸と第１熱交換部２Ａとの間の最短距離は、送風機４の中心軸と第２熱交換部２Ｂとの間の最短距離及び送風機４の中心軸と第３熱交換部２Ｃとの間の最短距離と同一である。また、送風機４の中心軸と第１熱交換部２Ａとの間の最短距離は、送風機４の中心軸と制御ボックス７の内側側面７Ａとの間の最短距離と同一である。すなわち、第１側面部１Ｂ、第２側面部１Ｃ、第３側面部１Ｄ及び制御ボックス７の内側側面７Ａで囲まれる領域は、平面視で正方形となっている。
【００２７】
図２Ａに示すように、ダクト５は、筐体１Ａの上部から筐体１Ａの下部に向けて鉛直方向に延びている。ダクト５の上端部５Ｇ及び下端部５Ｈは、それぞれ、吹出口３及び筐体１Ａの内部空間に連通するように開口している。図１Ｂ及び図１Ｃに示すように、筐体１Ａの内部空間は、第１流路１１と、第２流路１２とを有している。熱交換器２の上部側を通過する空気のための流路断面積が減少するので、熱交換器２の上部側を通過する空気の流量が減少する。一方、熱交換器２の下部側では、熱交換器２の下部側を通過する空気が第１流路１１を通過する。そのため、送風機４の直下に形成された低圧力場によってダクト５の下部の空気の吸い込み量が増加し、熱交換器２の下部側を通過する空気の流量が増加する。従って、熱交換器２の上部側を通過する空気の流量と、熱交換器２の下部側を通過する空気の流量とがバランスし、熱交換器２を通過する空気の流量分布を最適化でき、熱交換器２での熱交換効率が向上することができる。
【００２８】
ダクト５は、１枚の金属板を折り曲げて形成した部材であって、制御ボックス７の内側側面７Ａに装着及び固定された部材である。ダクト５は、第１ダクト側面部５Ａ、第２ダクト側面部５Ｂ、第３ダクト側面部５Ｃ、第４ダクト側面部５Ｄ、第５ダクト側面部５Ｅ及び第６ダクト側面部５Ｆ、を有している。第１ダクト側面部５Ａ及び第２ダクト側面部５Ｂは、熱交換器２の第２熱交換部２Ｂに対向する部分である。第３ダクト側面部５Ｃは、第１熱交換部２Ａに対向する部分である。第４ダクト側面部５Ｄは、第３熱交換部２Ｃと対向する部分である。第５ダクト側面部５Ｅ及び第６ダクト側面部５Ｆは、制御ボックス７の内側側面７Ａにねじにより固定された部分である。
【００２９】
第１ダクト側面部５Ａの上部は、第１側面部１Ｂと第２側面部１Ｃとの間における熱交換器２の屈曲部の上部と第１支持部材６Ａとを連結している第３支持部材６Ｃにねじにより固定されている。第２ダクト側面部５Ｂの上部は、第２側面部１Ｃと第３側面部１Ｄとの間における熱交換器２の屈曲部の上部と第２支持部材６Ｂとを連結している第４支持部材６Ｄにねじにより固定されている。第３支持部材６Ｃ及び第４支持部材６Ｄは、第１支持部材６Ａ及び第２支持部材６Ｂと同一の高さ位置に配置されており、それぞれ第１支持部材６Ａ及び第２支持部材６Ｂの側部にねじにより固定された平板かつ棒状の部材である。
【００３０】
第５ダクト側面部５Ｅ及び第６ダクト側面部５Ｆは、それぞれ第３ダクト側面部５Ｃ及び第４ダクト側面部５Ｄに対して直角に折れ曲がり、制御ボックス７の内側側面７Ａにねじにより固定されている。第１ダクト側面部５Ａ、第２ダクト側面部５Ｂ、第３ダクト側面部５Ｃ、第４ダクト側面部５Ｄ及び制御ボックス７の内側側面７Ａで囲まれる領域が、平面視五角形であり、この囲まれた領域がダクト５の内側の第１流路１１を形成している。
【００３１】
第３ダクト側面部５Ｃと第４ダクト側面部５Ｄとの間の長さ（ダクト５の水平方向の長さ）は、吹出口３の直径よりやや小さい。モータ４Ａの回転軸に平行な方向から、吹出口３、第１ダクト側面部５Ａの上部及び第２ダクト側面部５Ｂの上部を平面視したとき、第１ダクト側面部５Ａの上部及び第２ダクト側面部５Ｂの上部の全部が吹出口３の内側に位置している。例えば、第３ダクト側面部５Ｃと第４ダクト側面部５Ｄとの間の長さは、吹出口３の直径の８０％程度である。
【００３２】
ダクト５の鉛直方向の長さは、一定である。すなわち、第１ダクト側面部５Ａ、第２ダクト側面部５Ｂ、第３ダクト側面部５Ｃ、第４ダクト側面部５Ｄ、第５ダクト側面部５Ｅ及び第６ダクト側面部５Ｆの鉛直方向の長さは、全て同一である。
【００３３】
図２Ａに示すように、筐体１Ａの高さ方向において、ダクト５の上端部５Ｇは、熱交換器２の上端部と一致している。このため、熱交換器２の上部側を通過した空気は第２流路１２を通過しうる。これにより、熱交換器２の上部側を通過する空気の流量を効率的に減少させることができる。なお、ダクト５の上端部５Ｇは、熱交換器２の上端部より上方に位置していてもよい。
【００３４】
図２Ａに示すように、筐体１Ａの高さ方向における熱交換器２の中間の位置を通る平面を中間平面Ｈと定義したとき、筐体１Ａの高さ方向において、ダクト５の下端部５Ｈは、熱交換器２の上端部と中間平面Ｈとの間に位置している。熱交換器２の上部側は中間平面Ｈより上側に位置し、熱交換器２の下部側は中間平面Ｈより下側に位置している。ダクト５の鉛直方向の長さは、望ましくは、熱交換器２の鉛直方向の長さの１／２以内に設定されている。図２Ａでは、ダクト５の鉛直方向の長さは、熱交換器２の鉛直方向の長さの１／３程度に設定されている。空気の流量分布が鉛直下向きに単調減少する分布（詳細には、一定の変化率で単調減少する分布）を示す場合、空気の流量が平均流量になる鉛直方向の位置は、熱交換器２の鉛直方向の長さの１／２の位置である。空気の流量が平均流量より多い鉛直方向の位置は、熱交換器２の鉛直方向の長さの１／２の位置より上側の位置である。空気の流量が平均流量より少ない鉛直方向の位置は、熱交換器２の鉛直方向の長さの１／２の位置より下側の位置である。このような構成によれば、空気の流量が平均流量より少ない熱交換器２の鉛直方向の長さの１／２の位置より下側の部分において空気の流量を増加させることができ、空気の流量が平均流量より多い熱交換器２の鉛直方向の長さの１／２の位置より上側の部分において空気の流量を減少させることができるので、熱交換器２を通過する空気の流量分布を最適化できる。なお、空気の流量分布が鉛直下向きに減少する２次曲線状の分布を示す場合、空気の流量が平均流量になる鉛直方向の位置は、熱交換器２の鉛直方向の長さの１／２の位置より上側の位置である。空気の流量分布が鉛直下向きに単調減少する分布を示す場合と同様に、ダクト５の鉛直方向の長さが熱交換器２の鉛直方向の長さの１／２以内に設定されることによって、熱交換器２を通過する空気の流量分布を最適化できる。
【００３５】
なお、本実施形態では、ダクト５の鉛直方向の長さは、一定であったが、これに限定されるものではない。例えば、筐体１Ａの内部に配置された冷媒配管（図示せず）等との干渉を防ぐために、ダクト５の下端部の一部を切り落とした形状にしてもよい。あるいは、モータ４Ａを支持する第１支持部材６Ａ及び第２支持部材６Ｂがダクト５の上端部５Ｇと干渉する位置に配置されている場合には、ダクト５の上端部５Ｇの一部を切り落とした形状にしてもよい。
【００３６】
以上のように構成された室外ユニット１について、以下にて、その動作、作用を説明する。
【００３７】
まず、比較として、図３Ａ及び図３Ｂに、従来の室外ユニット５０１の内部における空気の流れ及び内部の空気の圧力分布を示し、その動作について説明する。
【００３８】
従来の室外ユニット５０１の内部の空気の流量分布５３０を図３Ａに示す。熱交換器５０２の空気の流量分布５３０は、熱交換器５０２の上部側を通過する空気の流量分布５３０Ａと、熱交換器５０２の下部側を通過する空気の流量分布５３０Ｂとによって形成されている。従来の室外ユニット５０１では、送風機５０４の動作によって送風機５０４の直下に低圧力場が形成される。送風機５０４に近接した位置の熱交換器５０２の上部側を通過する空気は直接送風機５０４直下へと流入する。従って、熱交換器５０２の上部側を通過する空気の流量が相対的に多い。一方、送風機５０４から遠く離れた位置の熱交換器５０２の下部側を通過する空気は、送風機５０４の直下に形成された低圧力場から遠く離れているので、熱交換器５０２の下部側を通過する空気の流量が相対的に少ない。このため、熱交換器５０２の上部側を通過する空気の流量と、熱交換器５０２の下部側を通過する空気の流量とがバランスせず、熱交換器５０２を通過する空気の流量分布が不均一になる。
【００３９】
送風機５０４の中心軸における筐体５０１Ａの内部空間５２０の鉛直方向の空気の圧力分布を図３Ｂに示す。図３Ｂでは、筐体５０１Ａの内部空間５２０の鉛直方向の空気の圧力分布５５０を実線で示し、筐体５０１Ａの周囲圧力である大気圧４０を破線で示す。ここでは、送風機５０４の直下を鉛直方向の基準点とする。送風機５０４の直下とは、第１支持部材５０６Ａ及び第２支持部材５０６Ｂの下面の位置、すなわち、熱交換器５０２の上端部の位置である。
【００４０】
図３Ｂに示すように、送風機５０４の直下は、空気の圧力が最も低くなるので、大気圧４０と送風機５０４の直下の圧力との差圧が最も大きくなる。筐体５０１Ａの内外に圧力差があると、流れが生じる。また、圧力差が大きければ大きいほど、空気の流量が増加するので、熱交換器５０２の上部側では、通過する空気の流量が多い。一方、送風機５０４から離れるにつれて、筐体５０１Ａの内部空間５２０における圧力は大気圧４０へと近づく。この結果、大気圧４０と送風機５０４から離れた位置における圧力との差圧が小さくなる。従って、熱交換器５０２の下部側では、通過する空気の流量が少ない。
【００４１】
次に、図２Ａ及び図２Ｂに、本実施形態の室外ユニット１の内部における空気の流れ及び内部の空気の圧力分布を示し、その動作について説明する。
【００４２】
本実施形態の室外ユニット１の内部の空気の流量分布３０を図２Ａに示す。熱交換器２の空気の流量分布３０は、熱交換器２の上部側（ダクト５の上端部５Ｇと下端部５Ｈとの間の部分）を通過する空気の流量分布３０Ａと、熱交換器２の下部側（ダクト５の下端部５Ｈより下側の部分）を通過する空気の流量分布３０Ｂとによって形成されている。本実施形態の室外ユニット１の内部の空気の流量分布３０と、従来の室外ユニット５０１の内部の空気の流量分布５３０とを比較すると、本実施形態の熱交換器２の上部側を通過する空気の流量は、従来の熱交換器５０２の上部側を通過する空気の流量より少ない。これは、熱交換器２の上部側を通過する空気のための流路断面積、すなわち、第２流路１２の断面積が小さいからである。また、ダクト５の壁面と空気流との摩擦作用によって、流動損失が増加するからである。一方、本実施形態の熱交換器２の下部側を通過する空気の流量は、従来の熱交換器５０２の下部側を通過する空気の流量より多い。これは、熱交換器２の下部側では、熱交換器２の下部側を通過する空気が第１流路１１を通過するので、送風機４の直下に形成された低圧力場によってダクト５の下部の空気の吸い込み量が増加するからである。
【００４３】
送風機４の中心軸における筐体１Ａの内部空間２０の鉛直方向の空気の圧力分布を図２Ｂに示す。図２Ｂでは、本実施形態の筐体１Ａの内部空間２０の鉛直方向の空気の圧力分布５０を実線で示し、従来の筐体５０１Ａの内部空間５２０の鉛直方向の空気の圧力分布５５０を破線で示し、筐体１Ａの周囲圧力である大気圧４０を破線で示す。ここでは、送風機４の直下を鉛直方向の基準点とする。送風機４の直下とは、送風機４の下部に設けられた第１支持部材６Ａ及び第２支持部材６Ｂの下面の位置、すなわち、熱交換器２の上端部の位置である。
【００４４】
図２Ｂに示すように、筐体１Ａの内部空間２０の空気の圧力分布５０は、ダクト５の下端部５Ｈより上側の第１流路１１の空気の圧力分布５０Ａと、ダクト５の下端部５Ｈより下側の空気の圧力分布５０Ｂとによって形成されている。ダクト５の下端部５Ｈより上側の第１流路１１の空気の圧力は、ダクト５を設置することによって、ダクト５の周囲の空気、すなわち、ダクト５の下端部５Ｈより上側の第２流路１２に流入する空気の影響を受けにくい。従って、ダクト５の下端部５Ｈより上側の第１流路１１の空気の圧力は、ダクト５の上端部５Ｇから下端部５Ｈにわたってやや上昇するものの、大気圧４０と比較して、低圧に保たれる。一方、ダクト５の下端部５Ｈより下側の空気の圧力と大気圧４０との差圧が最も大きくなる。前述したように、筐体１Ａの内外の圧力差が大きければ大きいほど空気の流量が増加するので、ダクト５の下端部５Ｈより下側では、通過する空気の流量が多い。
【００４５】
次に、図８を参照して、室外ユニット１が使用されたビル用マルチ空気調和システムを説明する。
【００４６】
ビル用マルチ空気調和システムは、室外ユニット１と、室内ユニット９１Ａ及び９１Ｂと、冷媒配管９３Ａ，９３Ｂ，９６Ａ及び９６Ｂと、を有している。室外ユニット１は、建物９０の室外に配置されている。室内ユニット９１Ａ及び９１Ｂは、それぞれ、建物９０の室内の部屋９０Ａ及び９０Ｂに配置されている。冷媒配管９３Ａ及び９６Ａは、室外ユニット１、と室内ユニット９１Ａとを接続している。冷媒配管９３Ｂ及び９６Ｂは、室外ユニット１と、室内ユニット９１Ｂとを接続している。冷媒配管９３Ａ及び９３Ｂは、それぞれ、室外ユニット１の付近では１つの配管であるが、部屋９０Ｂと部屋９０Ａとの間において２つの配管に分岐している。冷媒配管９６Ａ及び９６Ｂも同様である。本実施形態では、１つの室外ユニット１に対して、２つの室内ユニット９１Ａ及び９１Ｂが並列に接続されているが、室内ユニット９１Ａ及び９１Ｂの数は複数であれば３以上であってもよい。室外ユニット１内には、熱交換器２、圧縮機８（一例としてロータリ圧縮機）、アキュムレータ９、四方弁９２、膨張装置（図示せず）、が配置されている。室内ユニット９１Ａ及び９１Ｂには、それぞれ、膨張装置９４Ａ及び９４Ｂ（一例として膨張弁）並びに室内熱交換器９５Ａ及び９５Ｂが配置されている。
【００４７】
ビル用マルチ空気調和システムが冷房モードで動作する場合には、圧縮機８で高温及び高圧の過熱状態とされた冷媒は、四方弁９２を通り、室外ユニット１の熱交換器２へ達する。熱交換器２は、凝縮器として作用し、冷媒から熱交換器２を通過する空気へと熱が放出される。熱交換器２において、冷媒は、高圧の過冷却冷媒となる。冷媒は、その後、冷媒配管９３Ａ及び９３Ｂを通って、室内ユニット９１Ａ及び９１Ｂへ搬送される。冷媒は、膨張装置９４Ａ及び９４Ｂにおいて膨張され、低圧及び低温の気液二相状態となる。その後、冷媒は、室内熱交換器９５Ａ及び９５Ｂへ達する。このとき、室内熱交換器９５Ａ及び９５Ｂは、蒸発器として作用し、冷媒の吸熱作用によって、それぞれ、部屋９０Ａ及び９０Ｂを冷房する。吸熱後、冷媒は冷媒配管９６Ａ及び９６Ｂを通って、室外ユニット１へと戻る。冷媒は、四方弁９２及びアキュムレータ９を通った後、低圧の気相状態で圧縮機８へと戻る。
【００４８】
ビル用マルチ空気調和システムが暖房モードで動作する場合には、高温及び高圧の冷媒は、圧縮機８を出た後、四方弁９２及び冷媒配管９６Ａ及び９６Ｂを通って、室内ユニット９１Ａ及び９１Ｂの室内熱交換器９５Ａ及び９５Ｂへ達する。このとき、室内熱交換器９５Ａ及び９５Ｂが凝縮器として作用するので、冷媒は周囲空気へ放熱する。すなわち、部屋９０Ａ及び９０Ｂが暖房される。高圧の過冷却冷媒は、室内熱交換器９５Ａ及び９５Ｂを出た後、膨張装置９４Ａ及び９４Ｂにおいて膨張し、低圧及び低温の気液二相状態となる。その後、冷媒は、冷媒配管９３Ａ及び９３Ｂを通り、室外ユニット１へと戻る。室外ユニット１では、冷媒は、四方弁９２を通った後、室外ユニット１の熱交換器２へと導かれる。このとき、熱交換器２は、蒸発器として作用するので、冷媒は、熱交換器２を通過する空気から熱を奪う。その後、四方弁９２及びアキュムレータ９を通り、低圧の気相状態で圧縮機８へと戻る。
【００４９】
このように、本実施形態の室外ユニット１を用いた場合でも、従来タイプの室内ユニット９１Ａ及び９１Ｂと組み合わせることにより、ビル用マルチ空気調和システムを構成できる。本実施形態によれば、熱交換器２を通過する空気の流量分布を最適化でき、熱交換器２での熱交換効率が向上することができるので、ビル用マルチ空気調和システムの性能を向上することができる。
【００５０】
具体的には、部屋９０Ａ及び９０Ｂ内を冷房する場合においては、室外ユニット１の熱交換器２での熱交換効率の向上に伴い、室外ユニット１の熱交換器２の放熱量が増加するので、室内ユニット９１Ａ及び９１Ｂの室内熱交換器９５Ａ及び９５Ｂの吸熱量も増加する。その結果、ビル用マルチ空気調和システムの冷房性能が改善されうる。一方、部屋９０Ａ及び９０Ｂ内を暖房する場合においては、同様に、室外ユニット１の熱交換器２での熱交換効率の向上に伴って、室外ユニット１の熱交換器２の吸熱量が増加するので、室内ユニット９１Ａ及び９１Ｂの室内熱交換器９５Ａ及び９５Ｂの放熱量が増加する。その結果、ビル用マルチ空気調和システムの暖房性能が改善されうる。
【００５１】
（第２実施形態）
次に、図４Ａ〜図４Ｃを参照して、本発明の第２実施形態に係る室外ユニット１０１を説明する。本実施形態の室外ユニット１０１では、ダクト１０５の形状が第１実施形態のダクト５と異なっており、ダクト５を除く他の構成は、第１実施形態と同一である。なお、本実施形態では、第１実施形態と同一の構成部分には、第１実施形態の符号に１００を加えた符号を付し、その説明を省略する。
【００５２】
図４Ａ〜図４Ｃに示すように、ダクト１０５は、ダクト１０５の下端部が外側に湾曲した形状になっている。具体的には、ダクト１０５は、第１湾曲部１０５Ｉと、第２湾曲部１０５Ｊと、第３湾曲部１０５Ｋと、をさらに有している。第１湾曲部１０５Ｉは、第１ダクト側面部１０５Ａ及び第２ダクト側面部１０５Ｂと一体的に形成されており、第１ダクト側面部１０５Ａ及び第２ダクト側面部１０５Ｂの下端部から下方に延びながら外側に湾曲している。第２湾曲部１０５Ｊは、第３ダクト側面部１０５Ｃと一体的に形成されており、第３ダクト側面部１０５Ｃの下端部から下方に延びながら外側に湾曲している。第３湾曲部１０５Ｋは、第４ダクト側面部１０５Ｄと一体的に形成されており、第４ダクト側面部１０５Ｄの下端部から下方に延びながら外側に湾曲している。第１湾曲部１０５Ｉの両側部は、第２湾曲部１０５Ｊ及び第３湾曲部１０５Ｋの側部と滑らかに連結されている。第２湾曲部１０５Ｊ及び第３湾曲部１０５Ｋの第１湾曲部１０５Ｉと連結された側と反対側の側部は、制御ボックス１０７の内側側面１０７Ａに接触している。第１湾曲部１０５Ｉ、第２湾曲部１０５Ｊ、第３湾曲部１０５Ｋ及び制御ボックス１０７の内側側面１０７Ａで囲まれた領域がダクト１０５の内側の第１流路１１１の下端部を形成している。
【００５３】
図５Ａに示すように、ダクト１０５の下端部１０５Ｈにおける流路断面積は、ダクト１０５の上端部１０５Ｇにおける流路断面積よりも大きい。詳細には、第１湾曲部１０５Ｉ、第２湾曲部１０５Ｊ、第３湾曲部１０５Ｋ及び制御ボックス１０７の内側側面１０７Ａで囲まれた空間の水平方向の流路断面積は、第１ダクト側面部１０５Ａ、第２ダクト側面部１０５Ｂ、第３ダクト側面部１０５Ｃ、第４ダクト側面部１０５Ｄ及び制御ボックス１０７の内側側面７Ａで囲まれた空間の水平方向の流路断面積よりも大きい。このような構成によれば、ダクト１０５の下端部５Ｈにおける第１流路１１１を通過する空気のための流路断面積が増加するので、熱交換器１０２の下部側を通過する空気の流量を効率的に増加させることができる。
【００５４】
第１湾曲部１０５Ｉ、第２湾曲部１０５Ｊ、第３湾曲部１０５Ｋ及び制御ボックス１０７の内側側面１０７Ａで囲まれた空間の水平方向の流路断面積は、第１湾曲部１０５Ｉ、第２湾曲部１０５Ｊ及び第３湾曲部１０５Ｋの上端部から第１湾曲部１０５Ｉ、第２湾曲部１０５Ｊ及び第３湾曲部１０５Ｋの下端部に向けて増加している。このような構成によれば、第２流路１１２において、空気の下方向の流れが第１湾曲部１０５Ｉ、第２湾曲部１０５Ｊ及び第３湾曲部１０５Ｋによって規制される。従って、第２流路１１２から第１流路１１１に流入する空気の流量を減少させることができ、ダクト１０５を設置することによる流動損失を低減できる。
【００５５】
次に、第１実施形態のダクト５と比較しながら、ダクト１０５の作用を説明する。図５Ａには、第２実施形態における室外ユニット１０１の流動の様相を示し、図５Ｂには、第１実施形態における室外ユニット１の流動の様相を示す。
【００５６】
まず、図５Ｂに示す第１実施形態では、熱交換器２の上部側から第２流路１２に流入した空気がダクト５の下端部５Ｈから第１流路１１に僅かながら流入することがある。第２流路１２から第１流路１１に流入した空気は、ダクト５の内側面の近傍において、境界層の剥離による渦流（空気の流入方向と逆方向の流れ）を生じさせる。このような渦流が生じると、ダクト５の下端部５Ｈから第１流路１１に流入する空気の流量が減少する。
【００５７】
これに対して、図５Ａに示す第２実施形態では、ダクト１０５の下端部１０５Ｈにおける流路断面積は、ダクト１０５の上端部１０５Ｇにおける流路断面積より大きいので、第２流路１１２の下端部の流路断面積は第２流路１１２の上端部の流路断面積より小さい。従って、熱交換器１０２の上部側から第２流路１１２に流入した空気がダクト１０５の下端部１０５Ｈから第１流路１１１に流入しにくい。また、第２流路１１２において、空気の下方向の流れがダクト１０５によって規制されるので、第２流路１１２から第１流路１１１に流入する空気の流量を減少させることができる。
【００５８】
（第３実施形態）
次に、図６Ａ〜図６Ｃを参照して、本発明の第３実施形態に係る室外ユニット２０１を説明する。本実施形態の室外ユニット２０１では、ダクト２０５の形状が第１実施形態のダクト５と異なっており、ダクト５を除く他の構成は、第１実施形態と同一である。なお、本実施形態では、第１実施形態と同一構成部分には、第１実施形態の符号に２００を加えた符号を付し、その説明を省略する。
【００５９】
図６Ａ〜図６Ｃに示すように、ダクト２０５は、ダクト２０５の下端部が斜め下方向に延びながら外側に突出した形状になっている。具体的には、ダクト２０５は、第１突出部２０５Ｉと、第２突出部２０５Ｊと、第３突出部２０５Ｋと、第４突出部２０５Ｌと、をさらに有している。第１突出部２０５Ｉは、第１ダクト側面部２０５Ａの下端部から下方に一体的に延び外側に突出している。第２突出部２０５Ｊは、第２ダクト側面部２０５Ｂと一体的に形成されており、第２ダクト側面部２０５Ｂの下端部から斜め下方向に延びながら外側に突出している。第３突出部２０５Ｋは、第３ダクト側面部２０５Ｃと一体的に形成されており、第３ダクト側面部２０５Ｃの下端部から斜め下方向に延びながら外側に突出している。第４突出部２０５Ｌは、第３ダクト側面部２０５Ｃと一体的に形成されており、第３ダクト側面部２０５Ｃの下端部から斜め下方向に延びながら外側に突出している。第１突出部２０５Ｉと第２突出部２０５Ｊとの間、第１突出部２０５Ｉと第３突出部２０５Ｋとの間、第２突出部２０５Ｊと第４突出部２０５Ｌとの間には、それぞれ、切り込みが形成されている。第３突出部２０５Ｋ及び第４突出部２０５Ｌの第１突出部２０５Ｉ及び第２突出部２０５Ｊと対向した側と反対側の側部は、制御ボックス２０７の内側側面２０７Ａに接触している。このため、第１突出部２０５Ｉ、第２突出部２０５Ｊ、第３突出部２０５Ｋ、第４突出部２０５Ｌ及び制御ボックス２０７の内側側面２０７Ａで囲まれた領域がダクト１０５の内側の第１流路１１１の下端部を形成している。
【００６０】
第１突出部２０５Ｉ、第２突出部２０５Ｊ、第３突出部２０５Ｋ及び第４突出部２０５Ｌは、１枚の金属板に３箇所の切り込みを形成し、３箇所の切り込みに沿って金属板を折り曲げ、さらに金属板を斜め下方向に折り曲げる加工によって形成される。第３実施形態では、金属板を折り曲げる加工によって、ダクト２０５を安価に作製できる。
【００６１】
第３実施形態のダクト２０５は、第２実施形態と同様の効果が得られる。また、第１実施形態に比べて、第２流路２１２から第１流路２１１に流入する空気の流量を減少させることができるので、ダクト２０５を設置することによる流動損失を低減できる。
【００６２】
（第４実施形態）
次に、図７Ａ〜図７Ｃを参照して、本発明の第４実施形態に係る室外ユニット３０１を説明する。本実施形態の室外ユニット３０１では、ダクト３０５の形状が第１実施形態のダクト５と異なっており、ダクト５を除く他の構成は、第１実施形態と同一である。なお、本実施形態では、第１実施形態と同一の構成部分には、第１実施形態の符号に３００を加えた符号を付し、その説明を省略する。
【００６３】
図７Ａ〜図７Ｃに示すように、ダクト３０５の流路断面積は、上端部から下端部に向けて単調に増加している。このような構成によれば、第２流路３１２において、空気の下方向の流れが空気の下方向の流れが下方向に向けて流路断面積が増加するダクト３０５によって規制される。従って、第２流路１１２から第１流路１１１に流入する空気の流量を減少させることができ、ダクト３０５を設置することによる流動損失を低減できる。
【００６４】
ダクト３０５は、平面視でＵ字形状に湾曲し、その両端部は制御ボックス３０７の内側側面３０７Ａにねじにより固定されている。ダクト３０５の上端部は、平面視でＵ字形状である。ダクト３０５の下端部は、ダクト３０５の上端部と相似形状であって、ダクト３０５の上端部より大きい。
【００６５】
本実施形態によれば、ベルマウス３０３Ａの流路断面積に応じてダクト３０５を適切に設計できる。例えば、筐体３０１Ａの内部空間は十分に広いものの、ベルマウス３０３Ａの下側開口の開口面積が比較的小さい場合を想定する。この場合、ベルマウス３０３Ａの下側開口に適合するようにダクト３０５の上側開口の開口面積を決定する。これにより、ベルマウス３０３Ａの近くにおいて、筐体３０１Ａの内部空間を第１流路３１１と第２流路３１２とに適切に仕切ることができる。さらに、ダクト３０５の下端部が熱交換器３０２に十分に近づくようにダクト３０５の下側開口の開口面積を決定する。これにより、第１流路３１１における流動抵抗を低減しつつ、第２流路３１２において送風機３０４から遠ざかる方向の流れが形成されることを抑制できる。つまり、ダクト３０５の空気の吸い込み特性を最適化できる。
【００６６】
第４実施形態のダクト３０５は、第２実施形態と同様の効果が得られる。第４実施形態においても、第２流路３１２から第１流路３１１に流入する空気の流量を減少させることができるので、ダクト３０５を設置することによる流動損失を低減できる。
【符号の説明】
【００６７】
１，１０１，２０１，３０１  室外ユニット
１Ａ  筐体
１Ｂ  第１側面部
１Ｃ  第２側面部
１Ｄ  第３側面部
１Ｅ  第４側面部
２  熱交換器
２Ａ  第１熱交換部
２Ｂ  第２熱交換部
２Ｃ  第３熱交換部
３  吹出口
３Ａ  ベルマウス
４  送風機
４Ａ  モータ
５  ダクト
５Ａ  第１ダクト側面部
５Ｂ  第２ダクト側面部
５Ｃ  第３ダクト側面部
５Ｄ  第４ダクト側面部
５Ｅ  第５ダクト側面部
５Ｆ  第６ダクト側面部
５Ｇ  上端部
５Ｈ  下端部
６Ａ  第１支持部材
６Ｂ  第２支持部材
６Ｃ  第３支持部材
６Ｄ  第４支持部材
７  制御ボックス
７Ａ  内側側面
８  圧縮機
９  アキュムレータ
１０  オイルセパレータ
１１  第１流路
１２  第２流路
２０  内部空間
３０  流量分布
３０Ａ  熱交換器の上部側を通過する空気の流量分布
３０Ｂ  熱交換器の下部側を通過するの空気流量分布
４０  大気圧
５０  圧力分布
５０Ａ  熱交換器の上部側を通過する空気の圧力分布
５０Ｂ  熱交換器の下部側を通過する空気の圧力分布
９０  建物
９０Ａ，９０Ｂ  部屋
９１Ａ，９１Ｂ  室内ユニット
９２  四方弁
９３Ａ，９３Ｂ  冷媒配管
９４Ａ，９４Ｂ  膨張装置
９５Ａ，９５Ｂ  室内熱交換器
９６Ａ，９６Ｂ  冷媒配管
１０５  ダクト
１０５Ｉ  第１湾曲部
１０５Ｊ  第２湾曲部
１０５Ｋ  第３湾曲部
２０５  ダクト
２０５Ｉ  第１突出部
２０５Ｊ  第２突出部
２０５Ｋ  第３突出部
２０５Ｌ  第３突出部
３０５  ダクト
Ｈ  中間平面
【図１Ａ】
2014095505.tif 000003
【図１Ｂ】
2014095505.tif 000004
【図１Ｃ】
2014095505.tif 000005
【図２Ａ】
2014095505.tif 000006
【図２Ｂ】
2014095505.tif 000007
【図３Ａ】
2014095505.tif 000008
【図３Ｂ】
2014095505.tif 000009
【図４Ａ】
2014095505.tif 000010
【図４Ｂ】
2014095505.tif 000011
【図４Ｃ】
2014095505.tif 000012
【図５Ａ】
2014095505.tif 000013
【図５Ｂ】
2014095505.tif 000014
【図６Ａ】
2014095505.tif 000015
【図６Ｂ】
2014095505.tif 000016
【図６Ｃ】
2014095505.tif 000017
【図７Ａ】
2014095505.tif 000018
【図７Ｂ】
2014095505.tif 000019
【図７Ｃ】
2014095505.tif 000020
【図８】
2014095505.tif 000021
【図９】
2014095505.tif 000022